(57)【特許請求の範囲】
【請求項１】
商品のカテゴリとブランドと該ブランドの商品で購入実績のあるサイズとのデータの入力を受けると共に、定量的な身長のデータ、及び定性的な身体的特徴のデータを受け付ける入力処理部と、
ウェブサイトよりクロールで前記ウェブサイトのウェブページに別のウェブページのリンクが含まれる場合に該別のウェブページをダウンロードしてデータを収集するデータ収集部と、
前記データ収集部において収集されたデータより前記商品のカテゴリとブランドとサイズとで特定される統計データを参照して推定幅を算出し、該推定幅と商品の実測幅との差が最小となるサイズを特定して特定されたサイズを推定する幅推定部と、
前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、
前記特定されたサイズを提示し、前記推定幅、前記推定着丈、または前記推定ボトム丈の少なくともいずれかを定性的な出力態様で提示するために表示データを生成する表示データ生成部と、を備える、
ことを特徴とするサーバ装置。
【請求項２】
前記データ収集部において収集したデータをクリーニングして取込み、取り込んだデータから基準値を算出する基準値算出部と、
前記基準値を記憶する記憶部と、更に備え、
前記推定幅の算出に際して用いられる統計データとは、前記基準値である
請求項１に記載のサーバ装置。
【請求項３】
サーバ装置は、
ユーザが選んだ商品のカテゴリとブランドと該ブランドの商品で購入実績のあるサイズとのデータの入力を受けると共に、定量的な身長のデータ、及び定性的な身体的特徴のデータを受け、
ウェブサイトよりクロールで前記ウェブサイトのウェブページに別のウェブページのリンクが含まれる場合に該別のウェブページをダウンロードしてデータを収集するデータ収集し、
前記データ収集において収集されたデータより前記商品のカテゴリとブランドとサイズとで特定される統計データを参照して推定幅を算出し、該推定幅と商品の実測幅との差が最小となるサイズを特定して特定されたサイズを推定し、
前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断し、
前記特定されたサイズを提示し、前記推定幅、前記推定着丈、または前記推定ボトム丈の少なくともいずれかを定性的な出力態様で提示する
ことを特徴とする適正サイズ提示方法。
【請求項４】
ユーザの情報端末と、サーバ装置とがネットワークを介して通信自在に接続された適正サイズ提示システムにおいて、
前記サーバ装置は、
前記情報端末と通信を行う第１通信部と、
ユーザが選んだ商品のカテゴリとブランドと該ブランドの商品で購入実績のあるサイズとのデータの入力を受けると共に、定量的な身長のデータ、及び定性的な身体的特徴のデータを受け付ける入力処理部と、
ウェブサイトよりクロールで前記ウェブサイトのウェブページに別のウェブページのリンクが含まれる場合に該別のウェブページをダウンロードしてデータを収集するデータ収集部と、
前記データ収集部において収集されたデータより前記商品のカテゴリとブランドとサイズで特定される統計データを参照して推定幅を算出し、該推定幅と商品の実測幅との差が最小となるサイズを特定して特定されたサイズを推定する幅推定部と、
前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、
前記特定されたサイズを提示し、前記推定幅、前記推定着丈、または前記推定ボトム丈の少なくともいずれかを定性的な出力態様で提示するために表示データを生成する表示データ生成部と、を備え、
前記情報端末は、
前記表示データ生成部で生成された表示データを受信する第２通信部と、
前記表示データに基づく表示を行う表示制御部と、を備えた
ことを特徴とする適正サイズ提示システム。
【請求項５】
コンピュータを、
ユーザが選んだ商品のカテゴリとブランドと該ブランドの商品で購入実績のあるサイズとのデータの入力を受けると共に、定量的な身長のデータ、及び定性的な身体的特徴のデータを受け付ける入力処理部と、
ウェブサイトよりクロールで前記ウェブサイトのウェブページに別のウェブページのリンクが含まれる場合に該別のウェブページをダウンロードしてデータを収集するデータ収集部と、
前記データ収集部において収集されたデータより前記商品のカテゴリとブランドとサイズで特定される統計データを参照して推定幅を算出し、該推定幅と商品の実測幅との差が最小となるサイズを特定して特定されたサイズを推定する幅推定部と、
前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、
前記特定されたサイズを提示し、前記推定幅、前記推定着丈、または前記推定ボトム丈の少なくともいずれかを定性的な出力態様で提示するために表示データを生成する表示データ生成部として機能させる
ことを特徴とするプログラム。
【発明の詳細な説明】
【技術分野】
【０００１】
本発明は、ユーザに好適な洋服等のサイズを算出し提示する適正サイズ提示方法、適正サイズ提示システム、サーバ装置、及びプログラムに関する。
【背景技術】
【０００２】
従来、衣服については、各種のウェブサイトが多数開設されている。従って、ユーザは実店舗に出向くことなく、好みのブランドのウェブサイト、あるいは各種ブランドの商品を取り扱う販売サイトで商品を閲覧し、選択した商品を電子商取引により購入することが可能となっている。しかしながら、ウェブサイト上では、商品のサイズをＳ、Ｍ、Ｌ等の表記により確認することはできるものの、実店舗のように試着をすることができないことから、購入後に試着したところ自分の体系にフィットしなかった、といった状況も生じるおそれがあり、その解決が求められていた。
【０００３】
この種の技術として、例えば、特許文献１では、仮想試着に用いる商品の各部位の測定値及び購入者の身体の各部位の測定値が登録されたデータベースと、商品の各部位のサイズの測定値及び購入者の各部位のサイズの測定値を取得し、これらを比較して購入者に対するフィット具合を判定する技術が開示されている。
【先行技術文献】
【特許文献】
【０００４】
【特許文献１】特開平１１−２６５２４３号公報
【発明の概要】
【発明が解決しようとする課題】
【０００５】
しかしながら、特許文献１の技術では、商品の各部位の測定値、購入者の身体の各部位の測定値を予め登録する必要があり、取り扱う商品が増えるほど、その準備は煩雑なものとなっていた。また、着幅については、身幅、ウエスト幅、ヒップ幅、及びわたり幅とからなるのが一般的であるが、これらを総合的に勘案してユーザに好適なサイズを特定するとの視点はなかった。今日では、デザインの多様化が進んでおり、ブランドにより、同じＳ、Ｍ、Ｌであっても特に幅についてはばらつきがあることから、これらを総合的に勘案しないと、最終的にフィットするサイズを推定することは困難である。
【０００６】
本発明は、このような課題に鑑みてなされたものであり、多種多様な商品に対応することができ、ユーザの入力負担を軽減すると共に、ブランドごとのサイズのばらつきにも対応して、ユーザにとっての適正サイズを提示可能とすることを目的とする。
【課題を解決するための手段】
【０００７】
このような課題を解決するために、本発明の第１の態様に係るサーバ装置は、商品のカテゴリとブランドと該ブランドの商品で購入実績のあるサイズとのデータの入力を受けると共に、定量的な身長のデータ、及び定性的な身体的特徴のデータを受け付ける入力処理部と、ウェブサイトよりクロールで前記ウェブサイトのウェブページに別のウェブページのリンクが含まれる場合に該別のウェブページをダウンロードしてデータを収集するデータ収集部と、前記データ収集部において収集されたデータより前記商品のカテゴリとブランドとサイズとで特定される統計データを参照して推定幅を算出し、該推定幅と商品の実測幅との差が最小となるサイズを特定して特定されたサイズを推定する幅推定部と、前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、前記特定されたサイズを提示し、前記推定幅、前記推定着丈、または前記推定ボトム丈の少なくともいずれかを定性的な出力態様で提示するために表示データを生成する表示データ生成部と、を備えている。
【０００８】
本発明の第２の態様に係るサーバ装置は、第１の態様において、前記データ収集部において収集したデータをクリーニングして取込み、取り込んだデータから基準値を算出する基準値算出部と、前記基準値を記憶する記憶部と、更に備え、前記推定幅の算出に際して用いられる統計データとは、前記基準値である。
【０００９】
本発明の第３の態様に係る適正サイズ提示方法では、サーバ装置は、ユーザが選んだ商品のカテゴリとブランドと該ブランドの商品で購入実績のあるサイズとのデータの入力を受けると共に、定量的な身長のデータ、及び定性的な身体的特徴のデータを受け、ウェブサイトよりクロールで前記ウェブサイトのウェブページに別のウェブページのリンクが含まれる場合に該別のウェブページをダウンロードしてデータを収集するデータ収集し、前記データ収集において収集されたデータより前記商品のカテゴリとブランドとサイズとで特定される統計データを参照して推定幅を算出し、該推定幅と商品の実測幅との差が最小となるサイズを特定して特定されたサイズを推定し、前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断し、前記特定されたサイズを提示し、前記推定幅、前記推定着丈、または前記推定ボトム丈の少なくともいずれかを定性的な出力態様で提示する。
【００１０】
本発明の第４の態様に係る適正サイズ提示システムは、ユーザの情報端末と、サーバ装置とがネットワークを介して通信自在に接続された適正サイズ提示システムにおいて、前記サーバ装置は、前記情報端末と通信を行う第１通信部と、ユーザが選んだ商品のカテゴリとブランドと該ブランドの商品で購入実績のあるサイズとのデータの入力を受けると共に、定量的な身長のデータ、及び定性的な身体的特徴のデータを受け付ける入力処理部と、ウェブサイトよりクロールで前記ウェブサイトのウェブページに別のウェブページのリンクが含まれる場合に該別のウェブページをダウンロードしてデータを収集するデータ収集部と、前記データ収集部において収集されたデータより前記商品のカテゴリとブランドとサイズで特定される統計データを参照して推定幅を算出し、該推定幅と商品の実測幅との差が最小となるサイズを特定して特定されたサイズを推定する幅推定部と、前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、前記特定されたサイズを提示し、前記推定幅、前記推定着丈、または前記推定ボトム丈の少なくともいずれかを定性的な出力態様で提示するために表示データを生成する表示データ生成部と、を備え、前記情報端末は、前記表示データ生成部で生成された表示データを受信する第２通信部と、前記表示データに基づく表示を行う表示制御部と、を備えている。
【００１１】
本発明の第５の態様に係るプログラムは、コンピュータを、ユーザが選んだ商品のカテゴリとブランドと該ブランドの商品で購入実績のあるサイズとのデータの入力を受けると共に、定量的な身長のデータ、及び定性的な身体的特徴のデータを受け付ける入力処理部と、ウェブサイトよりクロールで前記ウェブサイトのウェブページに別のウェブページのリンクが含まれる場合に該別のウェブページをダウンロードしてデータを収集するデータ収集部と、前記データ収集部において収集されたデータより前記商品のカテゴリとブランドとサイズで特定される統計データを参照して推定幅を算出し、該推定幅と商品の実測幅との差が最小となるサイズを特定して特定されたサイズを推定する幅推定部と、前記身体的特徴のデータより該身体的特徴に関する統計データを用いて所定の係数を求め、前記身長データに基づいて算出した推定丈に前記係数を乗算して、推定着丈または推定ボトム丈の少なくともいずれかを求め、前記推定着丈または前記推定ボトム丈の少なくともいずれかが前記特定されたサイズに基づく推奨範囲内にあるか否かを判断する丈推定部と、前記特定されたサイズを提示し、前記推定幅、前記推定着丈、または前記推定ボトム丈の少なくともいずれかを定性的な出力態様で提示するために表示データを生成する表示データ生成部として機能させる。
【発明の効果】
【００１２】
本発明によれば、多種多様な商品に対応することができ、ユーザの入力負担を軽減すると共に、ブランドごとのサイズのばらつきにも対応して、ユーザにとっての適正サイズを提示可能とする適正サイズ提示方法、適正サイズ提示システム、サーバ装置、及びプログラムを提供することができる。
【図面の簡単な説明】
【００１３】
【図１】本発明の一実施形態係る適正サイズ提示システムの構成図である。
【図２】同システムにおけるサーバ装置の構成図である。
【図３】同システムにおけるユーザの情報端末の構成図である。
【図４】同システムによるデータ収集処理の処理手順を示すフローチャートである。
【図５】同システムによる処理手順を示すフローチャートである。
【図６】同システムによる適正サイズ算出処理の手順を示すフローチャートである。
【図７】情報端末での表示例を示す図である。
【発明を実施するための形態】
【００１４】
以下、図面を参照しつつ本発明の実施形態について説明する。
【００１５】
図１には本発明の一実施形態係る適正サイズ提示システムの構成を示し説明する。
【００１６】
同図に示されるように、適正サイズ提示システムは、サーバ装置１と、ユーザの情報端末２とからなる。そして、サーバ装置１と、ユーザの情報端末２と、商品サイト等を運営するウェブサーバ３とは、インターネット等のネットワーク４を介して通信自在に接続されている。ユーザの情報端末２には、スマートフォン、タブレット端末、ノートパソコンやデスクトップパソコン等、各種のものが概念的に含まれる。
【００１７】
このような構成において、ユーザは、情報端末２によりサーバ装置１の提供するポータルサイトにアクセスすることで、適正サイズ提示のサービスを受けることができる。あるいは、ユーザは、情報端末２によりウェブサーバ３の提供する商品サイトにアクセスして該サイトよりサーバ装置１の提供するポータルサイトに移管することで、適正サイズ提示のサービスを受けることができる。
【００１８】
サーバ装置１は、ユーザが選んだ商品のカテゴリと、ブランドと、該ブランドの商品で購入実績のあるサイズとのデータの入力を受けると共に、定量的な身長のデータ、及び定性的な身体的特徴のデータを受け、商品のカテゴリ、ブランド、サイズで特定される統計データを参照して推定幅を算出し、該推定幅と商品の実測幅との差が最小となるサイズを特定し、身体的特徴のデータより統計データを用いて所定の係数を求め、前記身長データに基づいて算出した推定丈に前記係数を乗算して、推定着丈、推定袖丈、及び推定ボトム丈の少なくともいずれかを求めて、それらが推奨範囲内にあるか否かを判断する。
【００１９】
図２には同システムにおけるサーバ装置の構成を更に詳細に示し説明する。
【００２０】
同図に示されるように、サーバ装置１は、ＣＰＵ（Central Processing Unit）等の制御部１１を備えている。制御部１１は、システムバス１６を介して、通信部１２、記憶部１３と接続されている。通信部１２は、ネットワーク４を介してユーザの情報端末２や商品サイトを運営するウェブサーバ３と通信する。記憶部１３は、ＲＡＭ，ＲＯＭ等のメモリやハードディスクドライブ（ＨＤＤ）等を備えている。論理的には、ユーザ情報を保持するユーザデータベース（以下、ＤＢ）１４と、衣服情報を保持する衣服ＤＢ１５とを備えている。また、記憶部１３は、制御プログラムを保持しており、その実行時にはワークエリアを提供する。
【００２１】
制御部１１は、記憶部１３の制御プログラム１７を読み出し実行することで、主制御部１１ａ、入力処理部１１ｂ、データ収集部１１ｃ、基準値算出部１１ｄ、適正サイズ算出部１１ｅ、及び表示データ生成部１１ｈとして機能する。適正サイズ算出部１１ｅは、更に幅推定部１１ｆ、丈推定部１１ｇに大別される。
【００２２】
このような構成において、入力処理部１１ｂは、ユーザが選んだ商品のカテゴリと、ブランドと、該ブランドの商品で購入実績のあるサイズとのデータの入力を受けると共に、定量的な身長のデータ、及び定性的な身体的特徴のデータを受け付ける。
【００２３】
適正サイズ算出部１１ｄにおいて、幅推定部１１ｆは、選択された商品のカテゴリ、ブランド、サイズで特定される統計データを参照して推定幅を算出し、該推定幅と商品の実測幅との差が最小となるサイズを特定する。適正サイズ算出部１１ｄにおいて、丈推定部１１ｇは、身体的特徴のデータより統計データを用いて所定の係数を求め、身長データに基づいて算出した推定丈に前記係数を乗算して、推定着丈、推定袖丈、及び推定ボトム丈の少なくともいずれかを求め、それらが推奨範囲内にあるか否かを判断する。
【００２４】
そして、表示データ生成部１１ｈは、特定されたサイズと、推定幅、推定着丈、推定袖丈、推定ボトム丈の少なくともいずれかを定性的な出力態様でユーザに提示するために表示データを生成する。
【００２５】
データ収集部１１ｃは、定期的にウェブサーバ３にアクセスして該サーバ３が提供するウェブサイトよりクロールでデータを収集する。基準値算出部１１ｄは、この収集したデータをクリーニングして取込、取り込んだデータから基準値を算出する。算出した基準値は、衣服ＤＢ１５に格納される。先に説明した幅推定部１１ｆで推定幅の算出に際して用いられる統計データとは、この基準値である。
【００２６】
丈推定部１１ｇでの丈の推定に際しては、定性的な身体的特徴のデータを用いて統計データを参照して係数を算出し、入力処理部１１ｂで入力処理された自認ベースの身体的特徴に基づいて対応する係数を乗算して丈の推定を行っている。出力結果への反映については、ゲージを用いて衣服の丈や幅などとの関係を表現している。例えば、腕の長さにおいて、身体的特徴の入力に際して「長い」と答えたユーザに対しては、統計データを用いて相対的に長いと思われるユーザの分布より係数を乗算して丈の推定を行う。より具体的には、例えば、身長データから腕の長さを推定し、それに係数として６．５％分を上乗せするなどしている。この詳細は後述する。
【００２７】
以上のほか、主制御部１１ａは、情報端末３への表示データの送信制御など、統括的な制御を司っている。
【００２８】
図３には同システムにおけるユーザの情報端末の構成を更に詳細に示し説明する。
【００２９】
同図に示されるように、情報端末２は、ＣＰＵ等の制御部２１を備えている。制御部２１は、システムバス２７を介して、通信部２２、操作部２３、表示部２４、及び記憶部２５と電気的に接続されている。通信部２２は、ネットワーク４を介して、サーバ装置１やウェブサーバ３と通信を行うインタフェースである。操作部２３は、マウスやキーボード等の操作デバイスである。表示部２４は、液晶ディスプレイ等の表示デバイスである。これら操作部２３と表示部２４とがタッチパネルとして一体化されてもよい。記憶部２５はＲＡＭ、ＲＯＭ、ＨＤＤ等で構成され、制御プログラム２６を保持すると共に、その実行時にはワークエリアを提供する。
【００３０】
制御部２１は、制御プログラム２６を読み出し実行することで、主制御部２１ａ、閲覧部２１ｂ、及び表示制御部２１ｃとして機能する。
【００３１】
このような構成において、閲覧部２１ｂは、サーバ装置１の提供するポータルサイトやウェブサーバ３が提供する商品サイトにアクセスして、ウェブページの閲覧を可能とするものである。この閲覧時には、表示制御部２１ｃが、サーバ装置１等からのＨＴＭＬ等の表示データに基づいて表示部２４による表示制御を行う。主制御部２１ａは、サーバ装置１との通信等、統括的な制御を司ることになる。
【００３２】
以下、図４のフローチャートを参照して、同システムによるデータ収集処理の処理手順を詳細に説明する。
【００３３】
サーバ装置１は、データ収集部１１ｃが、予め定められた所定のタイミングでウェブサーバ３の提供するウェブサイトよりクロールでデータ収集を行い（Ｓ１）、収集したデータをデータクリーニングして取込み、衣服ＤＢ１５に格納する（Ｓ２）。
【００３４】
ここで、ステップＳ１のクロールでは、予め登録されているウェブページをダウンロードして解析し、別のページへのリンクが含まれる場合そのページをダウンロードする、というプロセスを繰り返して、次々にウェブページのデータを収集する。クロールで収集するデータとしては、サイト名、商品に関連する性別、ブランド、カテゴリ、サイズ、商品に関連する部位およびその寸法等がある。
【００３５】
一方、ステップＳ２のデータクリーニングでは、衣服ＤＢ１５に既に保存されているデータの中から、新たに収集したデータとの関係で重複、誤表記、表記の揺れなどを検出して削除や修正、正規化などを行いつつ、更新を行う。
【００３６】
より詳細には、例えば、先ず大カテゴリ（トップス、ワンピース／チュニック、アウター、ボトムスなど）にカテゴリし、続いて小カテゴリ（Ｔシャツ／カットソー、ニット／セーター、スウェット、シャツ／ブラウス、ワンピース／チュニック、コート、ジャケット、スカート、パンツ、デニムなど）にカテゴリする。これに続いて、各部位名に対応する丈（着丈、袖丈、スカート丈、及びボトム丈など）及び幅（身幅、ウエスト幅、わたり幅、及びヒップ幅など）を特定し、更に寸法倍率を特定し、表記ゆれや誤表記等を整理しながら、取込みを行うようにしている。
【００３７】
こうして、基準値算出部１１ｄが、衣服ＤＢ１５より取り込んだデータを読み出し、統計的手法に基づいて基準値を算出し（Ｓ３）、衣服ＤＢ１５にて保持されている基準値を更新し（Ｓ４）、処理を終了する。なお、基準値の算出に際しては、商品に係る性別、大カテゴリ、ブランド、小カテゴリ、部位、寸法により商品をカテゴリし、カテゴリされた各商品について基準値を算出する。
【００３８】
次に、図５のフローチャートを参照して、同システムによる適正サイズ提示に係る主な処理手順を詳細に説明する。
【００３９】
適正サイズ提示に係る処理を開始すると、入力処理部１１ｂは、性別の選択を受け付けて処理する（Ｓ１１）。より具体的には、ユーザの情報端末２において性別選択画面が表示され、性別選択画面において性別（男／女）の選択がなされると、その性別データがサーバ装置１に送られ、入力処理部１１ｂが、性別データを処理する。
【００４０】
つづいて、入力処理部１１ｂは、ブランドの選択を受け付けて処理する（Ｓ１２）。より具体的には、ユーザの情報端末２において、ブランド選択画面が表示され、該ブランド選択画面において大カテゴリ（トップス、アウター、ボトムスなど）の選択がなされ、ブランドの選択がなされ、小カテゴリ（Ｔシャツ／カットソー、ニット／セーター、スウェット、シャツ／ブラウス、コート、ジャケット、パンツ、デニムなど）の選択がなされ、サイズ（Ｓ，Ｍ，Ｌ，ＬＬなど）の選択がなされると、それらブランドデータがサーバ装置１に送られ、入力処理部１１ｂがブランドデータを処理する。
【００４１】
続いて、入力処理部１１ｂは、身体的特徴の入力を受け付けて処理する（Ｓ１３）。より具体的には、ユーザの情報端末２において、身体的特徴入力画面が表示され、該画面において身長、体重、年齢の定量的なデータの入力がなされ、身体的特徴に関する定性的な選択がなされると、それら身体的特徴データがサーバ装置１に送られ、入力処理部１１ｂが身体的特徴データを処理する。身体的特徴に関する定性的な選択では、例えば大カテゴリがトップス、アウターであれば、腕の長さ、胴の長さ、ウエストの太さに関するレベルを選択し、大カテゴリがボトムスであれば、ウエストの太さ、ヒップの大きさ、太腿の大きさに関するレベルを選択するようにしてもよい。
【００４２】
続いて、適正サイズ算出部１１ｅが、適正サイズの算出を行う（Ｓ１４）。この適正サイズの算出に関する処理手順は後に図６で詳述するが、幅推定部１１ｆによる幅の推定及び推奨サイズの特定、丈推定部１１ｇにより丈の推定がなされる。
【００４３】
こうして、表示データ生成部１１ｈが、適正サイズ算出部１１ｅによる算出結果についての表示データを生成する（Ｓ１５）。以上で、適正サイズ提示に係る一連の処理を終了することになる。この表示データは、サーバ装置１からユーザの情報端末２に送信され、該情報端末２において提示される。従って、ユーザは、推奨サイズと、当該推奨サイズを選んだ場合に、丈が自己の身体的特徴との関係でどのようになるかを定性的な出力態様で確認することが可能となる。
【００４４】
ここで、図６のフローチャートを参照して、図５のステップＳ１４で実行される適正サイズ算出処理の手順を更に詳細に説明する。
【００４５】
この処理に入ると、幅推定部１１ｆは、先に選択されたブランドのサイズの基準値を衣服ＤＢ１５より読み出し、基準値をユーザの推定幅（推定身幅、推定ウエスト幅、推定ヒップ幅、及び推定わたり幅など）とする（Ｓ２１）。そして、幅推定部１１ｆは、この推定幅と洋服幅（身幅、ウエスト幅、ヒップ幅、及びわたり幅など）との差が最小のサイズを推奨サイズとして特定する（Ｓ２２）。この例では、両者の差が８％以内である場合に推奨範囲内であると判断しているが、これには限定されない。
【００４６】
続いて、丈推定部１１ｇは、ユーザＤＢ１４の身長データからユーザの身体の各部位の寸法を算出し（Ｓ２３）、この身体の各部位の寸法に基づいて丈（着丈、袖丈、ボトム丈など）を算出する（Ｓ２４）。丈推定部１１ｇでの丈の推定に際しては、定性的な身体的特徴のデータを用いて統計データを参照して係数を算出し、入力処理部１１ｂで入力処理された自認ベースの身体的特徴に基づいて対応する係数を乗算して丈の推定を行う。
【００４７】
そして、丈推定部１１ｇは、算出された丈（着丈、袖丈、ボトム丈など）が予め定められた推奨範囲内であるかを判断し（Ｓ２５）、上記推奨範囲との関係で表示態様（例えば、段階的なゲージレベルの設定など）を特定する（Ｓ２６）。こうして、図５のステップＳにリターンすることになる。
【００４８】
最後に、図７には情報端末での表示例を示し説明する。
【００４９】
同図に示されるように、推奨サイズが表示されると共に、着丈、袖丈、身幅については、そのフィット具合が分かるように、レベル分けされた段階表示（この例では、ゲージ表示）で示されている。これは、一例であって、これには限定されない。
【００５０】
以上説明したように、本発明の一実施形態によれば、定期的な商品サイトのクロールにより各種ブランドのサイズ（Ｓ，Ｍ，Ｌ，ＬＬ）の基準値を統計データとして取得し保持することにより、ユーザが商品カテゴリ、ブランド、サイズを選択（入力）するだけで当該ユーザの推定幅を算出することができるので、適正サイズ提示のために、身体的な各部位の定量データの入力を伴わず、ユーザの負担が軽減される。さらに、入力された定性的な身体的特徴のデータに基づいて、推定丈の算定に際して、係数を用いた微調整を行うことができるので、フィット具合を適正に提示することも可能となる。
【００５１】
以上、本発明の一実施形態について説明したが、本発明はこれに限定されることなくその趣旨を逸脱しない範囲で種々の改良・変更が可能であることは勿論である。
【００５２】
例えば、定性的な身体的特徴の入力（選択）項目は、上述したものに限定されることなく、そのほか、種々の入力を促し、推定丈の算定に用いるようにしてもよい。
【符号の説明】
【００５３】
１…サーバ装置、２…情報端末、３…ウェブサーバ、４…ネットワーク、１１…制御部、１１ａ…主制御部、１１ｂ…入力処理部、１１ｃ…データ収集部、１１ｄ…基準値算出部、１１ｅ…適正サイズ算出部、１１ｆ…幅推定部、１１ｇ…丈推定部、１１ｈ…表示データ生成部、１２…通信部、１３…記憶部、１４…ユーザＤＢ、１５…衣服ＤＢ、１６…システムバス、１７…プログラム、２１…制御部、２１ａ…主制御部、２１ｂ…閲覧部、２１ｃ…表示制御部、２２…通信部、２３…操作部、２４…表示部、２５…記憶部、２６…プログラム、２７…システムバス。
【図１】
0006309555.tif 000002
【図２】
0006309555.tif 000003
【図３】
0006309555.tif 000004
【図４】
0006309555.tif 000005
【図５】
0006309555.tif 000006
【図６】
0006309555.tif 000007
【図７】
0006309555.tif 000008